(57)【要約】      （修正有）【課題】安定した濃度で導電性水溶液を製造することができ、濃度の変更に対する追従性に優れた導電性水溶液製造装置の提供。【解決手段】導電性水溶液製造装置１は、原料水としての超純水Ｗを供給する主配管１１の途中に設けられたイオン交換装置２と、この主配管１１のイオン交換装置２より下流側に合流する供給管１２と、導電性付与物質供給装置３とを有し、導電性水溶液Ｗ１を供給する。イオン交換装置２に充填されるイオン交換体が、例えば、導電性付与物質がアンモニアである場合、上記イオンはカチオン、即ちアンモニウムイオン（ＮＨ４＋）であるため、カチオン交換樹脂が充填されていることが好ましい。亦、導電性付与物質が二酸化炭素である場合、上記イオンはアニオン、すなわち重炭酸イオン（ＨＣＯ３−）又は炭酸イオン（ＣＯ３２−）であるため、アニオン交換樹脂が充填されていることが好ましい。【選択図】図１
2018126700.tif 000002
【特許請求の範囲】
【請求項１】
原料水が流通するように構成されたイオン交換装置と、
前記イオン交換装置を通過した原料水に導電性付与物質を添加して導電性水溶液を生成する導電性付与物質供給装置とを備え、
前記イオン交換装置を通過した原料水に前記導電性付与物質を溶解することで生成され、該原料水に導電性を付与するイオンがカチオンである場合、前記イオン交換装置にはカチオン交換体が充填され、前記イオンがアニオンである場合、前記イオン交換装置にはアニオン交換体が充填されている、導電性水溶液製造装置。
【請求項２】
前記イオン交換装置の出口と前記導電性付与物質供給装置における前記導電性付与物質の添加箇所との離間距離が５ｍ以下である、請求項１に記載の導電性水溶液製造装置。
【請求項３】
前記導電性付与物質がアンモニアである、請求項１又は２に記載の導電性水溶液製造装置。
【請求項４】
前記イオン交換装置にカチオン交換体が充填されている、請求項３に記載の導電性水溶液製造装置。
【請求項５】
前記原料水は金属イオン濃度が１０ｎｇ／Ｌ以下の純水又は超純水である、請求項３又は４に記載の導電性水溶液製造装置。
【請求項６】
前記イオン交換装置を通過後の原料水中の金属イオン濃度が１０ｎｇ／Ｌ以下である、請求項３〜５のいずれか一項に記載の導電性水溶液製造装置。
【請求項７】
原料水をイオン交換体に接触させるイオン交換工程と、
前記イオン交換工程でイオン交換処理した原料水に導電性付与物質を添加して導電性水溶液を生成する工程とを含み、
前記イオン交換処理した原料水に前記導電性付与物質を溶解することで生成され、該原料水に導電性を付与するイオンがカチオンである場合、前記イオン交換体としてカチオン交換体に接触させ、前記イオンがアニオンである場合、前記イオン交換体としてアニオン交換体に接触させる、導電性水溶液の製造方法。
【請求項８】
前記導電性付与物質がアンモニアである、請求項７に記載の導電性水溶液の製造方法。
【請求項９】
前記イオン交換体がカチオン交換体である、請求項８に記載の導電性水溶液の製造方法。
【請求項１０】
前記原料水は金属イオン濃度が１０ｎｇ／Ｌ以下の純水又は超純水である、請求項８又は９に記載の導電性水溶液の製造方法。
【請求項１１】
前記イオン交換体との接触後の原料水中の金属イオン濃度が１０ｎｇ／Ｌ以下である、請求項８〜１０のいずれか一項に記載の導電性水溶液の製造方法。
【発明の詳細な説明】
【技術分野】
【０００１】
本発明は、導電性水溶液の製造装置及び製造方法に関し、特に高純度な導電性水溶液を得るのに好適な導電性水溶液の製造装置及び製造方法に関する。
【背景技術】
【０００２】
半導体や液晶の製造プロセスでは、不純物が高度に除去された超純水を用いて半導体ウエハやガラス基板の洗浄が行われている。
【０００３】
このような超純水を用いた半導体ウエハの洗浄では、超純水の比抵抗値が高いため静電気が発生しやすく、絶縁膜の静電破壊や微粒子の再付着を招くおそれがある。そのため、近年では、超純水に微量のアンモニアなどの導電性付与物質を溶解させることで、超純水の比抵抗値を低くなるように調整し、静電気の発生を抑制することが行われている。
【０００４】
この超純水に微量の導電性付与物質を溶解させた導電性水溶液は、超純水に導電性付与物質を添加する装置を用いて製造されているが、なるべく高純度のものが望ましいため、導電性付与物質を添加した導電性水溶液をイオン交換装置で処理することが提案されている（特許文献１、特許文献２）。
【先行技術文献】
【特許文献】
【０００５】
【特許文献１】特開２０１６−７６５９０号公報
【特許文献２】特開２０１６−７６５８９号公報
【発明の概要】
【発明が解決しようとする課題】
【０００６】
しかしながら、特許文献１及び特許文献２に記載された導電性水溶液の製造装置では、超純水に導電性付与物質を添加した後、イオン交換装置で処理しているので、例えば導電性付与物質としてアンモニアを添加し、得られる導電性水溶液から不純物としての金属イオンを除去する場合には、アンモニウムイオンが金属イオンの除去の障害となり、十分に純度を向上させるのが困難である、という問題点がある。特に、導電性水溶液の濃度が濃い場合に、その導電性物質がイオン交換体とイオン交換し、除去したい物質の除去が困難となる。また、導電性水溶液の濃度を変動させる場合には、イオン交換装置中のイオン交換体がイオンを吸着したり、あるいは吐き出したりするので、所望の濃度に安定するまでに時間がかかる、という問題点がある。
【０００７】
本発明は上記課題に鑑みてなされたものであり、安定した濃度で導電性水溶液を製造することができ、濃度の変更に対する追従性に優れた導電性水溶液の製造装置及び製造方法を提供することを目的とする。
【課題を解決するための手段】
【０００８】
上述した目的を達成するために、本発明は第一に、原料水が流通するように構成されたイオン交換装置と、前記イオン交換装置を通過した原料水に導電性付与物質を添加して導電性水溶液を生成する導電性付与物質供給装置とを備え、前記イオン交換装置を通過した原料水に前記導電性付与物質を溶解することで生成され、該原料水に導電性を付与するイオンがカチオンである場合、前記イオン交換装置にはカチオン交換体が充填され、前記イオンがアニオンである場合、前記イオン交換装置にはアニオン交換体が充填されている、導電性水溶液製造装置を提供する（発明１）。
【０００９】
かかる発明（発明１）によれば、超純水などの原料水をイオン交換装置に流通させると、イオン交換反応により原料水中のイオンが高度に除去されることになる。このとき所望とする導電性水溶液がカチオン性の場合には、付与するカチオン源にとって他のカチオンが阻害要因となる一方、所望とする導電性水溶液がアニオン性の場合には、付与するアニオン源にとって他のアニオンが阻害要因となるので、対応するイオンを除去するイオン交換体をイオン交換装置に充填してこれらを除去することで、添加する導電性付与物質に応じて高精度に制御された導電性水溶液を安定的に得ることができる。しかも原料水の純度が高い（対応するアニオン又はカチオンが除去されている）ので、添加される導電性付与物質の量に応じて導電性水溶液の濃度が迅速に変動するため、導電性付与物質に起因するイオン濃度の変更に対する追従性に優れている。
【００１０】
上記発明（発明１）においては、前記イオン交換装置の出口と前記導電性付与物質供給装置における前記導電性付与物質の添加箇所との離間距離が５ｍ以下であることが好ましい（発明２）。
【００１１】
かかる発明（発明２）によれば、イオン交換装置でイオンを高度に除去した原料水に対して迅速に導電性付与物質を添加することで、不純物の溶解を防止して添加する導電性付与物質の濃度に応じた導電性水溶液を得ることができる。
【００１２】
上記発明（発明１、２）においては、前記導電性付与物質がアンモニアであることが好ましい（発明３）。
【００１３】
かかる発明（発明３）によれば、高純度のアンモニア水溶液が求められる半導体ウエハの洗浄水の製造装置として好適である。
【００１４】
上記発明（発明３）においては、前記イオン交換装置にカチオン交換体が充填されていることが好ましい（発明４）。
【００１５】
かかる発明（発明４）によれば、原料水に含まれる金属イオンなどのカチオンを高度に除去することで、高純度のアンモニア水溶液が求められる半導体ウエハの洗浄水の製造装置として特に好適である。
【００１６】
上記発明（発明３、４）においては、前記原料水は金属イオン濃度が１０ｎｇ／Ｌ以下の純水又は超純水であることが好ましい（発明５）。
【００１７】
かかる発明（発明５）によれば、この原料水をイオン交換装置で処理して、金属イオンをさらに高度に除去することにより、金属イオンの少ない希釈アンモニア水溶液を得ることができ、さらに導電性付与物質供給装置でのアンモニアの添加量からアンモニア水溶液の濃度を把握することができる。
【００１８】
上記発明（発明３〜５）においては、前記イオン交換装置を通過後の原料水中の金属イオン濃度が１０ｎｇ／Ｌ以下であることが好ましい（発明６）。
【００１９】
かかる発明（発明６）によれば、高純度のアンモニア水溶液とすることで、このアンモニア水溶液を用いた半導体ウエハの洗浄などの処理を好適に行うことができる。
【００２０】
また、本発明は第二に、原料水をイオン交換体に接触させるイオン交換工程と、前記イオン交換工程でイオン交換処理した原料水に導電性付与物質を添加して導電性水溶液を生成する工程とを含み、前記イオン交換処理した原料水に前記導電性付与物質を溶解することで生成され、該原料水に導電性を付与するイオンがカチオンである場合、前記イオン交換体としてカチオン交換体に接触させ、前記イオンがアニオンである場合、前記イオン交換体としてアニオン交換体に接触させる、導電性水溶液の製造方法を提供する（発明７）。
【００２１】
かかる発明（発明７）によれば、超純水などの原料水をイオン交換体に接触させると、イオン交換反応により原料水中のイオンが高度に除去されることになる。このとき所望とする導電性水溶液がカチオン性の場合には、付与するカチオン源にとって他のカチオンが阻害要因となる一方、所望とする導電性水溶液がアニオン性の場合には、付与するアニオン源にとって他のアニオンが阻害要因となるので、対応するイオンを除去可能なイオン交換体に接触させてこれらを除去することで、添加する導電性付与物質に応じて高純度の導電性水溶液を安定的に製造することができる。しかも原料水の純度が高い（対応するアニオン又はカチオンが除去されている）ので、添加される導電性付与物質の量に応じて導電性水溶液の濃度が迅速に変動するため、導電性付与物質に起因するイオン濃度の変更に対する追従性に優れている。
【００２２】
上記発明（発明７）においては、前記導電性付与物質がアンモニアであることが好ましい（発明８）。
【００２３】
かかる発明（発明８）によれば、高純度のアンモニア水溶液が求められる半導体ウエハの洗浄水の製造方法として好適である。
【００２４】
上記発明（発明８）においては、前記イオン交換体がカチオン交換体であることが好ましい（発明９）。
【００２５】
かかる発明（発明９）によれば、原料水に含まれる金属イオンなどのカチオンを高度に除去することで、高純度のアンモニア水溶液が求められる半導体ウエハの洗浄水の製造方法として特に好適である。
【００２６】
上記発明（発明８、９）においては、前記原料水は金属イオン濃度が１０ｎｇ／Ｌ以下の純水又は超純水であることが好ましい（発明１０）。
【００２７】
かかる発明（発明１０）によれば、この原料水をイオン交換装置で処理して、金属イオンをさらに高度に除去することにより、金属イオンの少ない希釈アンモニア水溶液を得ることができ、さらに導電性付与物質供給装置でのアンモニアの添加量からアンモニア水溶液の濃度を把握することができる。
【００２８】
上記発明（発明８〜１０）においては、前記イオン交換体との接触後の原料水中の金属イオン濃度が１０ｎｇ／Ｌ以下であることが好ましい（発明１１）。
【００２９】
かかる発明（発明１１）によれば、高純度のアンモニア水溶液とすることで、このアンモニア水溶液を用いた半導体ウエハの洗浄などの処理を好適に行うことができる。
【発明の効果】
【００３０】
本発明の導電性水溶液製造装置によれば、原料水をイオン交換装置に流通させることでイオン交換反応により原料水中のイオンが高度に除去されることになるため、高純度の導電性水溶液を安定的に得ることができる。しかも原料水の純度が高いので、導電性付与物質に起因するイオン濃度の変更に対する追従性に優れている。
【図面の簡単な説明】
【００３１】
【図１】本発明の第一実施形態の導電性水溶液製造装置を示すフロー図である。
【図２】本発明の第二実施形態の導電性水溶液製造装置を示すフロー図である。
【図３】本発明の第三実施形態の導電性水溶液製造装置を示すフロー図である。
【図４】実施例１〜４の導電性水溶液製造装置を示すフロー図である。
【図５】実施例５〜７の導電性水溶液製造装置を示すフロー図である。
【図６】比較例１〜５の導電性水溶液製造装置を示すフロー図である。
【発明を実施するための形態】
【００３２】
図１は本発明の第一の実施形態による導電性水溶液製造装置を示す概略図であり、図１において導電性水溶液製造装置１は、原料水としての超純水Ｗを供給する主配管１１の途中に設けられたイオン交換装置２と、この主配管１１のイオン交換装置２より下流側に合流する供給管１２と、この供給管１２に連通した導電性付与物質供給装置３とを有する。なお、図示していないが、導電性水溶液製造装置１には、必要に応じて各種のフィルタや弁が適宜設置されていてもよい。
【００３３】
上述したような導電性水溶液製造装置１において、イオン交換装置２には、イオン交換体としてのイオン交換樹脂が充填されている。このイオン交換樹脂は、アニオン交換樹脂、カチオン、あるいはアニオン交換樹脂とカチオンとの混合樹脂を用いることができるが、後述する導電性付与物質によって異なる。
【００３４】
具体的には、導電性付与物質を溶解して超純水Ｗに導電性を付与するイオンがカチオンである場合には、イオン交換装置２にはカチオン交換樹脂を充填することが好ましく、また、超純水Ｗに導電性を付与するイオンがアニオンである場合にはアニオン交換樹脂を充填することが好ましい。例えば、導電性付与物質がアンモニアである場合、上記イオンはカチオン、すなわちアンモニウムイオン（ＮＨ４＋）であるため、イオン交換装置２にはカチオン交換樹脂が充填されていることが好ましい。このときのカチオン交換樹脂のイオン形としては、特に限定されるものではないが、Ｎａ形のような塩形であると、Ｎａなどの塩類が導電性水溶液に含まれ、これにより半導体ウエハが汚染されるおそれがあるため、Ｈ形またはアンモニウムイオン形であることが好ましい。また、導電性付与物質が二酸化炭素である場合、上記イオンはアニオン、すなわち重炭酸イオン（ＨＣＯ３−）または炭酸イオン（ＣＯ３２−）であるため、イオン交換装置２には、アニオン交換樹脂が充填されていることが好ましい。このときのアニオン交換樹脂のイオン形としては、特に限定されるものではないが、Ｃｌ形などであると、Ｃｌなどが導電性水溶液に含まれ、これにより半導体ウエハが汚染されるおそれがあるため、ＯＨ形、重炭酸イオン形、炭酸イオン形のいずれかであることが好ましい。特に導電性付与物質としてアンモニアを用い、イオン交換装置２にカチオン交換樹脂が充填されている組み合わせが好適である。
【００３５】
導電性付与物質供給装置３は、イオン交換装置２で処理した原料水（以下、処理水とする）に導電性付与物質を添加して導電性水溶液を生成するものであり、処理水に導電性付与物質を添加することができるものであれば、その方法は特に限定されるものではない。例えば、ガス状の導電性付与物質を処理水に添加して溶解させる場合、中空糸製のガス透過膜を用いて溶解させる方法や、配管内に直接バブリングする方法などを用いることができる。また、純水または超純水に導電性付与物質を高濃度に溶解させた水溶液を処理水に添加して希釈する場合、タンクに貯留した当該水溶液を往復動式定量ポンプやシリンジポンプを用いて添加する方法や、タンク内に加圧不活性ガスを導入することで上記水溶液を圧送する圧送手段などを用いることができる。なお、本実施形態において、「導電性付与物質」とは、原料水（処理水）である超純水Ｗに溶解することでイオン（アニオンまたはカチオン）を生成し、そのイオンによって超純水Ｗに導電性を付与する物質を意味する。このような導電性付与物質としては、種々の物質を用いることができるが、製造される導電性水溶液Ｗ１が半導体ウエハの洗浄に使用される場合には、二酸化炭素やアンモニアが好適であり、特にアンモニアが好適である。このアンモニアは所定の濃度のアンモニア水として添加することが好ましい。
【００３６】
この導電性付与物質供給装置３における導電性付与物質の添加位置は、イオン交換装置２の出口から５ｍ以下であることが好ましい。このようにイオン交換装置２の出口との離間距離を５ｍ以下とすることにより、イオン交換装置２から処理水を搬送する過程でのイオンの混入などを抑制して、高純度の処理水に対して導電性付与物質を添加することができる。
【００３７】
次に上述したような構成を有する本実施形態の導電性水溶液製造装置１を用いた導電性水溶液の製造方法について説明する。
【００３８】
まず、原料水としての超純水Ｗをイオン交換装置２内のイオン交換樹脂に接触させる。ここで用いる超純水Ｗとしては、比抵抗値が１８ＭΩ・ｃｍ以上の水をいうものとする。また、導電性付与物質を溶解して超純水Ｗに導電性を付与するイオンがアンモニアである場合には、この超純水Ｗの金属イオン濃度が１０ｎｇ／Ｌ以下であることが好ましい。これによりイオン交換装置２の処理水における金属イオン濃度を極めて低いレベルにすることができる。
【００３９】
このイオン交換装置２においてカチオン成分又はアニオン成分を除去する。具体的には、導電性付与物質を溶解して超純水Ｗに導電性を付与するイオンがカチオンである場合には、イオン交換装置２にはカチオン交換樹脂を充填してカチオン成分を除去することが好ましく、また、超純水Ｗに導電性を付与するイオンがアニオンである場合にはアニオン交換樹脂を充填することが好ましい。例えば、導電性付与物質がアンモニアである場合、カチオン成分を除去することが好ましく、また、導電性付与物質が二酸化炭素である場合、上記イオンはアニオン、すなわち重炭酸イオン（ＨＣＯ３−）または炭酸イオン（ＣＯ３２−）であるため、アニオン成分を除去することが好ましい。
【００４０】
特に導電性付与物質を溶解して超純水Ｗに導電性を付与するイオンがアンモニアである場合、カチオン交換樹脂を充填したイオン交換装置２で処理することで、得られる処理水の金属イオン濃度を１０ｎｇ／Ｌ以下にすることが好ましい。例えば、原料水である超純水Ｗの金属イオン濃度が１０ｎｇ／Ｌ以下であれば、得られる処理水の金属イオン濃度を１ｎｇ／Ｌ以下、さらに０．１ｎｇ／Ｌ以下の極めて低いレベルにまで低減することができる。
【００４１】
続いて導電性付与物質供給装置３から供給管１２を経由して導電性付与物質をイオン交換装置２の処理水に添加する。ここで、本実施形態においては、イオン交換装置２の処理水は、超純水Ｗから導電性付与物質に対応したアニオン又はカチオンが除去したものであるので、導電性付与物質の添加量に応じた導電性水溶液を安定的に製造することができる。しかも、イオン交換装置２の処理水が高純度であるので、導電性付与物質に起因するイオン濃度の変更に対する追従性に優れる、という効果も奏する。すなわち、導電性水溶液Ｗ１の濃度を変更するために導電性付与物質の添加量を変更することにより、所望の濃度の導電性水溶液Ｗ１に迅速に変動させることができる。さらに、導電性付与物質供給装置３での導電性付与物質の添加量から、導電性水溶液の濃度を概ね把握することができる。そこで、所望の水質の導電性水溶液を安定してユースポイントに供給するためには、導電性水溶液の濃度を継続的に監視することが好ましい。
【００４２】
特に、導電性付与物質供給装置３として、アンモニアを用いた場合には、処理水の金属イオン濃度を１ｎｇ／Ｌ以下、特に０．１ｎｇ／Ｌ以下の極めて低いレベルにまで低減することで、得られる希薄アンモニア水に含まれる金属イオンの影響を抑制することができて好ましい。このような本実施形態の導電性水溶液製造方法は、導電性付与物質供給装置３としてアンモニアを用いた場合、アンモニア（アンモニウムイオン）の濃度が１００ｍｇ／Ｌ以下、特に５０ｍｇ／Ｌ以下の希薄アンモニア水の製造に好適である。
【００４３】
次に本発明の第二の実施形態による導電性水溶液製造装置について、図２に基づいて説明する。第二の実施形態による導電性水溶液製造装置は、導電性付与物質供給装置３の下流に予備希釈貯槽４を備え、この予備希釈貯槽４に導電性付与物質を供給するとともに、イオン交換装置２で処理した処理水が分岐管１３を介してこの予備希釈貯槽４に供給される構成とした以外は上述した第一の実施形態の導電性水溶液製造装置と同様の構成を有する。このように導電性付与物質をイオン交換装置２で処理した処理水で予備的に希釈することにより、イオン性不純物が低減された導電性付与物質の溶液とした後、イオン交換装置２の処理水に溶解することで導電性水溶液Ｗ１を製造することができる。
【００４４】
本発明の第三の実施形態による導電性水溶液製造装置について、図３に基づいて説明する。この導電性水溶液製造装置１は、導電性付与物質の予備希釈貯槽４にイオン交換装置２で処理した処理水を供給する代わりに超純水Ｗ０を供給し、導電性付与物質を希釈する構成とした以外は上述した第二の実施形態の導電性水溶液製造装置と同じ構成を有する。このように導電性付与物質をイオン交換装置２で処理した処理水と同等の水質の超純水Ｗ０で予備的に希釈することにより、イオン性不純物が低減された導電性付与物質の溶液とした後、イオン交換装置２の処理水に溶解することで導電性水溶液Ｗ１を製造することができる。
【００４５】
以上、本発明の導電性水溶液の製造装置及び導電性水溶液の製造方法について、上記実施形態に基づいて説明してきたが、本発明は上記実施形態に限定されず種々の変形実施が可能である。例えば、導電性付与物質供給装置３及び予備希釈貯槽４には窒素ガスなどの不活性ガスのパージ機能を設けてもよい。さらに、導電性付与物質供給装置３及び予備希釈貯槽４に導電性を付与するイオンの濃度センサを設けるとともに主配管１１の導電性付与物質供給ポイントより後段にも濃度センサを設けて、導電性付与物質の添加量を制御するようにしてもよい。なお、上述した各実施形態では、超純水Ｗを用いた場合について説明したが、これよりも純度の劣る純水に対して同様に適用することもできる。
【実施例】
【００４６】
以下に実施例及び比較例を示し、本発明をより具体的に説明する。ただし、本発明はこれらの記載により何ら限定されるものではない。
【００４７】
［実施例１］
図４に示す導電性水溶液製造装置１を用い、導電性水溶液Ｗ１として希薄アンモニア水を製造した。ここで、図４に示す導電性水溶液製造装置１は、図１に示す導電性水溶液製造装置において、導電性付与物質供給装置３が導電性付与物質としてアンモニア水を供給するものであり、イオン交換装置２にイオン交換体としてカチオン交換樹脂を充填したものであり、さらに試験用にイオン交換装置２の上流及び下流に入口サンプリングポイント及び処理水サンプリングポイントを設けるとともにアンモニア水の添加箇所の下流に出口サンプリングポイントを設けたものである。
【００４８】
このような導電性水溶液製造装置において、金属イオン濃度１０ｎｇ／Ｌの超純水Ｗをイオン交換装置２で処理した後、アンモニア濃度３５ｍｇ／Ｌとなるように初期設定して導電性付与物質供給装置３からアンモニアを注入し、初期アンモニア水溶液を製造した。この初期アンモニア水の濃度が安定した時点で出口サンプリングポイントで初期アンモニア水溶液をサンプリングし、アンモニア濃度と金属濃度を測定した結果、アンモニア濃度は３５ｍｇ／Ｌで金属イオン濃度は１０ｎｇ／Ｌであった。
【００４９】
その後アンモニア濃度が１０ｍｇ／Ｌとなるように設定を変更し、これに伴い導電性付与物質供給装置３からのアンモニアの注入量を変更して希薄アンモニア水Ｗ１を製造した。設定変更から１分経過後の出口水をサンプリングしてアンモニア濃度と金属濃度を測定したところ、アンモニア濃度は１０ｍｇ／Ｌで金属イオン濃度は０．１ｎｇ／Ｌ未満であった。これらの結果を入口水（超純水Ｗ）及びイオン交換装置２の処理水の金属イオン濃度とともに表１に示す。
【００５０】
［実施例２］
実施例１において、アンモニア濃度が０．１ｍｇ／Ｌとなるように設定を変更し、これに伴い導電性付与物質供給装置３からのアンモニアの注入量を変更した以外は同様にして希薄アンモニア水Ｗ１を製造した。そして、設定変更から１分経過後、出口サンプリングポイントでアンモニア水溶液を採取し、アンモニア濃度と金属濃度を測定したところ、アンモニア濃度は０．１ｍｇ／Ｌで金属イオン濃度は０．１ｎｇ／Ｌ未満であった。これらの結果を入口水（超純水Ｗ）及びイオン交換装置２の処理水の金属イオン濃度とともに表１にあわせて示す。
【００５１】
［実施例３］
実施例１において、原料水として金属イオン濃度１００ｎｇ／Ｌの超純水Ｗをイオン交換装置２で処理した後、アンモニア濃度３５ｍｇ／Ｌとなるように初期設定して導電性付与物質供給装置３からアンモニアを注入し、初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は３５ｍｇ／Ｌで金属イオン濃度は１００ｎｇ／Ｌであった。
【００５２】
その後アンモニア濃度が１ｍｇ／Ｌとなるように設定を変更し、これに伴い導電性付与物質供給装置３からのアンモニアの注入量を変更して希薄アンモニア水Ｗ１を製造した。設定変更から１分経過後、出口サンプリングポイントでアンモニア水溶液を採取し、アンモニア濃度と金属濃度を測定したところ、アンモニア濃度は１ｍｇ／Ｌで金属イオン濃度は１０ｎｇ／Ｌであった。これらの結果を入口水（超純水Ｗ）及びイオン交換装置２の処理水の金属イオン濃度とともに表１にあわせて示す。
【００５３】
［実施例４］
実施例１において、原料水として金属イオン濃度１０ｎｇ／Ｌの超純水Ｗをイオン交換装置２で処理した後、アンモニア濃度０．１ｍｇ／Ｌとなるように初期設定して導電性付与物質供給装置３からアンモニアを注入し、初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は０．１ｍｇ／Ｌで金属イオン濃度は０．１ｎｇ／Ｌ未満であった。
【００５４】
その後アンモニア濃度が３５ｍｇ／Ｌとなるように設定を変更し、これに伴い導電性付与物質供給装置３からのアンモニアの注入量を変更して希薄アンモニア水Ｗ１を製造した。設定変更から１分経過後、出口サンプリングポイントでアンモニア水溶液を採取し、アンモニア濃度と金属濃度を測定したところ、アンモニア濃度は３５ｍｇ／Ｌで金属イオン濃度は０．１ｎｇ／Ｌ未満であった。これらの結果をイオン交換装置２の処理水の金属イオン濃度とともに表１に示す。
【００５５】
［実施例５］
図５に示す導電性水溶液製造装置１を用い、希薄アンモニア水Ｗ１を製造した。ここで、図５に示す導電性水溶液製造装置１は、図３に示す導電性水溶液製造装置において、導電性付与物質供給装置３が導電性付与物質としてアンモニア水を予備希釈貯槽４に供給するものであり、この予備希釈貯槽４には、金属イオン濃度０．１ｎｇ／Ｌ未満の超純水Ｗ０が供給されてアンモニア水を希釈する構成を有し、さらにイオン交換装置２にカチオン交換樹脂を充填したものである。そして、試験用にイオン交換装置２の上流及び下流に入口サンプリングポイント及び処理水サンプリングポイントを設けるとともにアンモニアの添加箇所の下流に出口サンプリングポイントを設けている。
【００５６】
このような導電性水溶液製造装置において、金属イオン濃度１０ｎｇ／Ｌの超純水Ｗをイオン交換装置２で処理した後、アンモニア濃度３５ｍｇ／Ｌとなるように初期設定して予備希釈貯槽４からアンモニア溶液を注入し、初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は３５ｍｇ／Ｌで金属イオン濃度は０．１ｎｇ／Ｌ未満であった。
【００５７】
その後アンモニア濃度が１０ｍｇ／Ｌとなるように設定を変更し、これに伴い予備希釈貯槽４からのアンモニア溶液の注入量を変更して希薄アンモニア水Ｗ１を製造した。設定変更から１分経過後、出口サンプリングポイントでアンモニア水溶液を採取し、アンモニア濃度と金属濃度を測定したところ、アンモニア濃度は１０ｍｇ／Ｌで金属イオン濃度は０．１ｎｇ／Ｌ未満であった。これらの結果を入口水（超純水Ｗ）及びイオン交換装置２の処理水の金属イオン濃度とともに表１あわせて示す。
【００５８】
［実施例６］
実施例５において、アンモニア濃度が０．１ｍｇ／Ｌとなるように設定を変更し、予備希釈貯槽４からのアンモニア溶液の注入量を変更した以外は同様にして希薄アンモニア水Ｗ１を製造した。そして、設定変更から１分経過後、出口サンプリングポイントでアンモニア水溶液を採取し、アンモニア濃度と金属濃度を測定したところ、アンモニア濃度は０．１ｍｇ／Ｌで金属イオン濃度は０．１ｎｇ／Ｌ未満であった。これらの結果を入口水（超純水Ｗ）及びイオン交換装置２の処理水の金属イオン濃度とともに表１にあわせて示す。
【００５９】
［実施例７］
実施例５において、原料水として金属イオン濃度１０ｎｇ／Ｌの超純水Ｗをイオン交換装置２で処理した後、アンモニア濃度０．１ｍｇ／Ｌとなるように初期設定して導電性付与物質供給装置３からアンモニアを注入し、初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は０．１ｍｇ／Ｌで金属イオン濃度は０．１ｎｇ／Ｌ未満であった。
【００６０】
その後アンモニア濃度が３５ｍｇ／Ｌとなるように設定を変更し、これに伴い導電性付与物質供給装置３からのアンモニアの注入量を変更して希薄アンモニア水Ｗ１を製造した。設定変更から１分経過後の出口水をサンプリングしてアンモニア濃度と金属濃度を測定したところ、アンモニア濃度は３５ｍｇ／Ｌで金属イオン濃度は０．１ｎｇ／Ｌ未満であった。これらの結果を入口水（超純水Ｗ）及びイオン交換装置２の処理水の金属イオン濃度とともに表１にあわせて示す。
【００６１】
［比較例１］
図６に示す導電性水溶液製造装置１を用い、希薄アンモニア水Ｗ１を製造した。ここで、図６に示す導電性水溶液製造装置１は、超純水Ｗに導電性付与物質供給装置３からアンモニア水を供給するとともに、その後カチオン交換樹脂を充填したイオン交換装置２で処理する構成であり、さらに試験用にアンモニアの添加箇所の上流に入口サンプリングポイントを設けるとともにイオン交換装置２の下流に出口サンプリングポイントを設けている。
【００６２】
このような導電性水溶液製造装置において、金属イオン濃度１０ｎｇ／Ｌの超純水Ｗにアンモニア濃度３５ｍｇ／Ｌとなるように初期設定して導電性付与物質供給装置３からアンモニアを注入した後、イオン交換装置２で処理して初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は３５ｍｇ／Ｌで金属イオン濃度１０ｎｇ／Ｌであった。
【００６３】
その後アンモニア濃度が１０ｍｇ／Ｌとなるように設定を変更し、これに伴い導電性付与物質供給装置３からのアンモニアの注入量を変更して希薄アンモニア水Ｗ１を製造した。設定変更から１分経過後の出口水をサンプリングしてアンモニア濃度と金属濃度を測定したところ、アンモニア濃度は１５ｍｇ／Ｌで金属イオン濃度は３ｎｇ／Ｌであった。これらの結果を入口水（超純水Ｗ）の金属イオン濃度とともに表１にあわせて示す。
【００６４】
［比較例２］
比較例１において、アンモニア濃度が２５ｍｇ／Ｌとなるように設定を変更し、導電性付与物質供給装置３からのアンモニア溶液の注入量を変更した以外は同様にして希薄アンモニア水Ｗ１を製造した。そして、設定変更から１分経過後の出口水をサンプリングしてアンモニア濃度と金属濃度を測定したところ、アンモニア濃度は２９ｍｇ／Ｌで金属イオン濃度は４ｎｇ／Ｌであった。これらの結果を入口水（超純水Ｗ）の金属イオン濃度とともに表１にあわせて示す。
【００６５】
［比較例３］
比較例１において、アンモニア濃度が０．１ｍｇ／Ｌとなるように設定を変更し、導電性付与物質供給装置３からのアンモニア溶液の注入量を変更した以外は同様にして希薄アンモニア水Ｗ１を製造した。そして、設定変更から１分経過後の出口水をサンプリングしてアンモニア濃度と金属濃度を測定したところ、アンモニア濃度は１０ｍｇ／Ｌで金属イオン濃度は２ｎｇ／Ｌであった。これらの結果を入口水（超純水Ｗ）の金属イオン濃度とともに表１にあわせて示す。
【００６６】
［比較例４］
比較例１において、金属イオン濃度１０ｎｇ／Ｌの超純水Ｗにアンモニア濃度０．１ｍｇ／Ｌとなるように初期設定して導電性付与物質供給装置３からアンモニアを注入した後、イオン交換装置２で処理して初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は０．１ｍｇ／Ｌで金属イオン濃度１０ｎｇ／Ｌであった。
【００６７】
その後アンモニア濃度が３５ｍｇ／Ｌとなるように設定を変更し、これに伴い導電性付与物質供給装置３からのアンモニアの注入量を変更して希薄アンモニア水Ｗ１を製造した。設定変更から１分経過後の出口水をサンプリングしてアンモニア濃度と金属濃度を測定したところ、アンモニア濃度は２９ｍｇ／Ｌで金属イオン濃度４ｎｇ／Ｌであった。これらの結果を入口水（超純水Ｗ）の金属イオン濃度とともに表１に示す。
【００６８】
［比較例５］
比較例１において、金属イオン濃度１００ｎｇ／Ｌの超純水Ｗにアンモニア濃度３５ｍｇ／Ｌとなるように初期設定して導電性付与物質供給装置３からアンモニアを注入した後、イオン交換装置２で処理して初期アンモニア水を製造した。この初期アンモニア水の濃度が安定した時点で出口サンプリングポイントで初期アンモニア水溶液をサンプリングし、アンモニア濃度と金属濃度を測定した結果、アンモニア濃度は３５ｍｇ／Ｌで金属イオン濃度１０ｎｇ／Ｌであった。
【００６９】
その後アンモニア濃度が１０ｍｇ／Ｌとなるように設定を変更し、これに伴い導電性付与物質供給装置３からのアンモニアの注入量を変更して希薄アンモニア水Ｗ１を製造した。設定変更から１分経過後の出口水をサンプリングしてアンモニア濃度と金属濃度を測定したところ、アンモニア濃度は１４ｍｇ／Ｌで金属イオン濃度は２７ｎｇ／Ｌであった。これらの結果を入口水（超純水Ｗ）の金属イオン濃度とともに表１に示す。
【００７０】
【表１】
2018126700.tif 000003
【００７１】
表１から明らかなとおり超純水Ｗをカチオン交換樹脂で処理した後アンモニア水を添加した実施例１〜７の導電性水溶液製造装置では、アンモニア濃度の設定変更から１分経過後のアンモニア濃度の設定値との乖離率が小さく、得られる希薄アンモニア水Ｗ１における金属イオン濃度も小さかった。これに対し、超純水Ｗにアンモニアを添加した後カチオン交換樹脂で処理した比較例１〜５の導電性水溶液製造装置では、アンモニア濃度の設定変更から１分経過後のアンモニア濃度の追従性が悪く、得られる希薄アンモニア水Ｗ１における金属イオン濃度がアンモニ水の濃度の影響により大きかった。
【符号の説明】
【００７２】
１  導電性水溶液製造装置
２  イオン交換装置
３  導電性付与物質供給装置
４  予備希釈貯槽
Ｗ  超純水（原料水）     
Ｗ１  導電性水溶液（希薄アンモニア水）
Ｗ０  超純水（希釈水）
【図１】
2018126700.tif 000004
【図２】
2018126700.tif 000005
【図３】
2018126700.tif 000006
【図４】
2018126700.tif 000007
【図５】
2018126700.tif 000008
【図６】
2018126700.tif 000009